(57)【要約】  容器プレフォーム（４４）を製造する方法は、雌型表示の形態の少なくとも１つの表面凹部（４２）を有する金型コア（３４または５４）を準備するステップと、プレフォームがコアの少なくとも１つの凹部によって形成された内部隆起表示（３２）を有するように、プレフォームをコアの周りに成形するステップと、を含む。プレフォームを、好ましくは引き続いて、ブロー成形して、内面に隆起表示を有する容器（２０）を形成する。この容器の内面の隆起表示は、容器が真正であることを確かめるために、容器の外側から見ることができる。本開示の様々な実施形態によれば、内部隆起表示は、容器の底壁（２４）、側壁（２５）、肩部（２６）および／またはネック部（２８）にあってもよい。容器（２０）、容器プレフォーム（４４）および容器プレフォームを成形するための金型コア（３４、５４）も、また、開示する。【選択図】図１
2008540191.tif 000002
【特許請求の範囲】
【請求項１】
表示を有する容器プレフォーム（４４）を製造する方法であって、
（ａ）雌型表示の形態の少なくとも１つの表面凹部（４２）を有する金型コア（３４または５４）を準備するステップと、
（ｂ）前記プレフォームが前記少なくとも１つの凹部によって形成された内部隆起表示（３２）を有するように、プレフォームを金型コアの周りに成形するステップと、を含む、
ことを特徴とする方法。
【請求項２】
前記少なくとも１つの表面凹部（４２）は、前記金型コアの先端（３８）にあり、前記表示は、前記先端の周りに成形された前記プレフォームの閉じた端部にある、請求項１に記載の方法。
【請求項３】
前記少なくとも１つの表面凹部（４２）は、前記金型コアの側面（５６）にあり、前記表示は、前記プレフォームの側壁にある、請求項１に記載の方法。
【請求項４】
前記ステップ（ｂ）は、射出成形あるいは圧縮成形によって行われる、請求項１に記載の方法。
【請求項５】
（ｃ）前記プレフォームをブロー成形して、内面に隆起表示の形態の前記表示を有する容器（２０）を形成するステップを含む、請求項１に記載の方法。
【請求項６】
請求項５に記載の方法により製造した容器。
【請求項７】
請求項１に記載の方法により製造した容器プレフォーム。
【請求項８】
前記容器の内面に隆起表示（３２）の形態の内部表示を有するブロー成形プラスチック容器（２０）。
【請求項９】
前記隆起表示は前記容器のネック部（２８）、肩部（２６）、側壁（２５）および／または底壁（２４）にある、請求項８に記載の容器。
【請求項１０】
前記プレフォームの壁の少なくとも１つのリブ（３２）の形態の内部隆起表示を有する金型成形プラスチック構造の容器プレフォーム（４４）。
【請求項１１】
容器プレフォームを成形するための金型コア（３４または５４）であって、前記コアは、雌型表示（４２）の形態の少なくとも１つの凹部を有する表面を有する、ことを特徴とする金型コア。
【請求項１２】
前記雌型表示は、前記コアの先端（３８）にある、請求項１１に記載の金型コア。
【請求項１３】
前記雌型表示は、前記コアの側面（５６）にある、請求項１１に記載の金型コア。
【発明の詳細な説明】
【技術分野】
【０００１】
本開示は、ブロー成形されたプラスチック容器およびそのような容器のためのプレフォームの製造に関し、より詳細には、容器あるいはプレフォームの壁に内部隆起表示の形態のＩＤあるいはロゴを有する容器およびプレフォームの製造に関する。
【背景技術】
【０００２】
プラスチック容器は、コアロッドの周りに射出あるいは圧縮成形されたプレフォームからブロー成形される。容器プレフォームを射出成形し、次いで容器をブロー成形するための工程が、例えば、米国特許第３，７０７，５９１号および同第５，０９８，２７４号に示される。容器プレフォームを圧縮成形し、次いで容器をブロー成形するための工程が、米国特許第６，７１６，３８６号に示される。プレフォームおよび容器は、単層構造のものであってもよいし、あるいは、例えば、プレフォームあるいは容器の壁の中に少なくとも部分的に延びる１層以上の中間バリア層を有する多層構造のものであってもよい。ブロー成形されたプラスチック容器は、パッケージが偽造されるかも知れない危険がある医療および薬剤用途を含む、多くの用途に用いることができる。本開示の一般的な目的は、薬剤師が、例えば、容器およびパッケージが真正であることを確かめるために容器の外側から見ることができる隆起表示を容器の内面に設けることにある。
【発明の開示】
【課題を解決するための手段】
【０００３】
本開示は、互いに別々にあるいは組み合わせて実施することができる多数の態様あるいは発明を具体化する。
【０００４】
本開示の１つの態様による容器プレフォームを製造する方法は、雌型表示の形態の少なくとも１つの表面凹部を有するコアを準備するステップと、プレフォームがコアの少なくとも１つの凹部によって形成された内部隆起表示を有するように、プレフォームをコアの周りに成形するステップと、を含む。プレフォームを、好ましくは引き続いて、ブロー成形して、容器の内面に隆起表示を有する容器を形成する。この容器の内面の隆起表示は、容器が真正であることを確かめるために、容器の外側から見ることができる。開示の様々な実施形態によれば、内部隆起表示は、容器の底壁、側壁、肩部および／またはネック部にあってもよい。
【発明を実施するための最良の形態】
【０００５】
本開示は、その付加的な目的、特徴、利点および態様と一緒に、以下の記載、添付した特許請求の範囲および添付図面から最も良く理解されるであろう。
【０００６】
図１〜２は、本開示の一実施形態による容器２０を示す。容器２０は、底壁あるいは上げ底２４と、側壁２５と、肩部２６と、肩部から延びるネック口部２８と、を有するボディ２２を有する。少なくとも側壁２５、底壁２４および肩部２６は、いかなる適当な単層あるいは多層プラスチック組成物のブロー成形構造のものである。ＩＤあるいはロゴ３０が、容器底壁２４に設けられる。ロゴ３０は、内部隆起表示３２（図２）、すなわち壁２４の内面から隆起したリブのような表示の形態である。表示３０は、図１に示すように簡単なロゴから、例えば容器内の製品に関連する製品情報あるいはロット番号情報のようなより複雑な情報まで、容器２０を同定する語および／または記号からなる。表示は、容器の真正を確かめるためにどこに表示を探せばよいか知っている人が、容器の外側から読むことができ、あるいは見ることができる。
【０００７】
図３〜４Ａは、容器２０をブロー成形するためのプレフォームを成形するための金型コア３４を示す。金型コア３４は、コア先端３８を有するコアボディ３６を含む。雌型表示４０（図４および４Ａ）が、適当なエッチングあるいは機械作業によって先端３８に形成され、例えば一連の雌型凹部あるいはチャネル４２の形態の表示を作る。そのようなチャネルの数および形状は、勿論、容器内の所望の隆起表示３２（図２）によって決定される。図５は、容器プレフォーム４４を射出成形するための金型コア３４の使用を示す。コア３４を、適当な射出成形金型４６の中に配置し、１つ以上のプラスチック材料を、適当な機械類４８によって成形金型４６のゲート５０を通して射出する。（ゲート５０は、コア３４の先端に向かい合っている必要はない。）次いで、コアを、適当なブロー成形金型５２（図６）に移動させ、そこで、空気あるいは他の適当なガスをコアの中に供給して、容器２０を成形金型５２の中のキャビティの内側領域にブロー成形する。ブロー成形された容器には、プレフォームの雌型表示は、容器底壁２４に内部隆起表示３０を形成する。
【０００８】
図５および６は、射出ブロー成形作業の本開示の実施を示す。本開示は、また、再熱ブロー成形作業で実施してもよく、再熱ブロー成形作業では、プレフォームを金型コアの周りに射出成形しあるいは圧縮成形し、プレフォームを、保管あるいは更なる加工のためにコアから取り外す。
【０００９】
図７は、雌型表示４０がコア先端ではなくコアの側面５６に形成された金型コア５４を示す。実際に、最も広い態様の本開示によれば、プレフォームの雌型表示およびブロー成形容器の内部隆起表示を、容器の内部隆起表示が図８Ａに示すように容器ネック口部２８、図８Ｂに示すように容器肩部２６あるいは図８Ｃに示すように容器側壁２５にあるように配置してもよい。
【００１０】
かくして、先に述べた全ての目的および意図を完全に満たす、容器プレフォームを製造する方法、ブロー成形プラスチック容器を製造する方法、容器プレフォーム、ブロー成形プラスチック容器、および容器プレフォームを成形するための金型コアを開示した。開示を、多数の例示的実施形態に関連して提示し、様々な変形および変更を議論した。他の変形および変更が、前記議論を考慮して、当業者の頭に浮かぶであろう。本開示は、全てのそのような変形および変更を、添付特許請求の範囲の精神および広い範囲の内であるように、含むものである。
【図面の簡単な説明】
【００１１】
【図１】本開示の一実施形態による容器の断片的な斜視図である。
【図２】図１の２−２線にほぼ沿った断片的な断面図である。
【図３】本開示の他の態様による容器プレフォームを射出成形するためのコアの正面図である。
【図４】図３の金型コアの端面図である。
【図４Ａ】図４の４Ａ−４Ａ線にほぼ沿った断面図である。
【図５】プレフォームを図３のコアの周りに射出成形するための工程の概略図である。
【図６】図５の成形されたプレフォームから容器をブロー成形するための工程の概略図である。
【図７】本開示の変形実施形態による金型コアの正面図である。
【図８Ａ】本開示の変形実施形態によるブロー成形プラスチック容器の概略図である。
【図８Ｂ】本開示の変形実施形態によるブロー成形プラスチック容器の概略図である。
【図８Ｃ】本開示の変形実施形態によるブロー成形プラスチック容器の概略図である。
【図１】
2008540191.tif 000003
【図２】
2008540191.tif 000004
【図３】
2008540191.tif 000005
【図４】
2008540191.tif 000006
【図４Ａ】
2008540191.tif 000007
【図５】
2008540191.tif 000008
【図６】
2008540191.tif 000009
【図７】
2008540191.tif 000010
【図８Ａ】
2008540191.tif 000011
【図８Ｂ】
2008540191.tif 000012
【図８Ｃ】
2008540191.tif 000013
【国際調査報告】
2008540191.tif 000014
2008540191.tif 000015